(57)【要約】【課題】  ゴルフ観に基づいて趣味的にゴルフクラブ等のゴルフギアを選定するゴルフギア選定方法、システム、およびプログラムに関する。【解決手段】  通信ネットワーク上でゴルフギア選定サーバが、ユーザ端末に性別、年齢、ゴルフ歴等現実的選定基準とは別に、理想とするゴルフ観等に関する設問と回答欄を送信し、その回答結果を所定のゴルフギア選定基準データと照合し、回答点数を算定基準に従って算定し、算定値に基づいて最適ゴルフギアを評価することにより、ゴルフギア観に適合するゴルフギアを選定し、選定したゴルフギアに関する情報をユーザ端末に送信する。【選択図】      図１
2006218078.tif 000002
【特許請求の範囲】
【請求項１】
インターネット等通信ネットワークを介して複数のユーザ端末に接続するゴルフギア選定サーバが、ユーザ端末によりアクセスするユーザに適合するゴルフギアを、通信ネットワーク上で選定するゴルフギア選定方法において、ゴルフギア選定サーバが、
前記ゴルフギア選定サーバにアクセスしたユーザ端末にゴルフギア選定のために複数の設問と前記設問に対する回答欄を含むチエックリストを送信し、
前記設問に対して回答されたチエックリストを前記ユーザ端末から受信し、
前記ユーザ端末から受信したチエックリストの回答結果を、選定ゴルフギアに関する算定基準および評価基準を含む所定の選定基準データに照合し、前記算定基準に従って回答欄の回答値を算定し、算定した算定値を前記評価基準に基づいて評価し、評価に基づいてゴルフギアを自動的に選定し、かつ
選定したゴルフギアに関する情報をユーザ端末に送信する、各工程を含むゴルフギア選定方法。
【請求項２】
前記ゴルフギア選定サーバが、前記選定したゴルフギアに関する情報に含まれるゴルフギアについてユーザ端末から購入注文を受信する工程またはユーザ端末へ受注、販売情報を送信する工程を更に含む、請求項１に記載のゴルフギア選定方法。
【請求項３】
前記選定したゴルフギアに関する情報の他にゴルフ関連情報を送信する工程を更に含む、請求項１または２に記載のゴルフギア選定方法。
【請求項４】
前記ゴルフギアはゴルフクラブ、ゴルフボール、またはユーザ端末が希望する種々のゴルフ道具を含む、請求項１から３のいずれか１に記載のゴルフギア選定方法。
【請求項５】
前記設問または前記受注、販売情報は、ユーザ端末によりアクセスするユーザの性別、年齢、または更にはゴルフ歴を含む、請求項２から４のいずれか１に記載のゴルフギア選定方法。
【請求項６】
前記設問はユーザ端末によりアクセスするユーザのゴルフ観を評価できる項目を含む、請求項１から５のいずれか１に記載のゴルフギア選定方法。
【請求項７】
前記ゴルフ観を評価できる設問は前記ユーザ端末によりアクセスするユーザが理想とするもしくは嗜好するスイング、ショットおよびアプローチのタイプ、ゲーム戦略およびコースプラン、または好きなプロゴルファ、コース、グリーン、ボール感触および球筋、ならびにウッド、アイアンおよびパターに求める性能等に関する適宜項目から成る、請求項６に記載のゴルフギア選定方法。
【請求項８】
前記設問は１項目につき２肢またはそれ以上の多肢選択式回答欄を含む、請求項１から７のいずれか１に記載のゴルフギア選定方法。
【請求項９】
前記選定基準データは、各前記設問と設問に対する各回答欄に対応するゴルフギアの種類、またはプロゴルファもしくは有名人名等から適宜選択された情報を含む、請求項１から８のいずれか１に記載のゴルフギア選定方法。
【請求項１０】
前記選定したゴルフギアに関する情報は少なくともゴルフギアの種類を含み、かつ選択的にゴルフギアのメーカかつ／または販売店、プロゴルファ名、ゴルフコース名、プロゴルファまたは有名人のコメント等を含む、請求項１から９のいずれか１に記載のゴルフギア選定方法。
【請求項１１】
前記ゴルフ関連情報はゴルフギアの外観の写真、値段、設計コンセプト、特性および販売店名等のゴルフ用品に関する商品情報、ゴルフコース情報、ゴルフイベント情報、ゴルフ旅行情報、ならびにそれらに関するユーザまたはプロゴルファからのコメント等に関する情報から適宜選択された情報を含む、請求項３に記載のゴルフギア選定方法。
【請求項１２】
前記設問および前記選定基準データはゴルフギア選定サーバのデータ収集部においてそれぞれのデータベースに記憶されている、請求項１から１１のいずれか１に記載のゴルフギア選定方法。
【請求項１３】
前記ゴルフギアを選定するために、照合し、算定し、かつ評価する工程は、ゴルフギア選定サーバのデータ収集部に記憶されているゴルフギア選定処理を行なうための動作プログラムに従って選定処理部により自動的に行なわれる、請求項１から１２のいずれか１に記載のゴルフギア選定方法。
【請求項１４】
インターネット等通信ネットワークを介して複数のユーザ端末と接続するゴルフギア選定サーバが、前記ユーザ端末によりアクセスするユーザに適合するゴルフギアを、通信ネットワーク上で選定するゴルフギア選定システムにおいて、ゴルフギア選定サーバが、
前記ユーザ端末にゴルフギア選定のための複数の設問と前記設問に対する回答欄を含むチエックリストを送信する送信手段、
前記回答欄がチエックされたチエックリストを前記ユーザ端末から受信する受信手段、
前記ユーザ端末から受信した回答結果を、選定ゴルフギアに関する算定基準および評価基準を含む所定の選定基準データに照合し、前記算定基準に従って回答欄の回答点数を算定し、算定した算定値を前記評価基準に基づいて評価し、評価に基づいてゴルフギアを自動的に選定する選定処理手段、および
そのようにして選定したゴルフギアに関する情報をユーザ端末に送信表示する送信表示手段を含む、ゴルフギア選定システム。
【請求項１５】
前記選定したゴルフギアに関する情報の他にゴルフ関連情報を送信する手段を更に含む、請求項１４に記載のゴルフギア選定システム。
【請求項１６】
前記ゴルフギアに関する情報はゴルフギア受注、販売情報を含み、
前記設問または前記受注、販売情報は、ユーザ端末によりアクセスするユーザの性別、年齢、または更にはゴルフ歴を含む、請求項１４または１５に記載のゴルフギア選定システム。
【請求項１７】
前記設問はユーザ端末によりアクセスするユーザのゴルフ観を評価できる項目を含む、請求項１４から１６のいずれか１に記載のゴルフギア選定システム。
【請求項１８】
前記選定基準データは、各前記設問と設問に対する各回答欄に対応するゴルフギアの種類、またはプロゴルファもしくは有名人名等から適宜選択された情報を含む、請求項１４から１７のいずれか１に記載のゴルフギア選定システム。
【請求項１９】
前記選定したゴルフギアに関する情報は少なくともゴルフギアの種類を含み、かつ選択的にゴルフギアのメーカかつ／または販売店、プロゴルファ名、ゴルフコース名、プロゴルファまたは有名人のコメント等を含む、請求項１４から１８のいずれか１に記載のゴルフギア選定システム。
【請求項２０】
前記設問および前記選定基準データはゴルフギア選定サーバのデータ収集部においてそれぞれのデータベースに記憶されている、請求項１４から１９のいずれか１に記載のゴルフギア選定システム。
【請求項２１】
前記ゴルフギアを選定するために、照合し、算定し、かつ評価する選定処理手段は、ゴルフギア選定サーバのデータ収集部に記憶されているゴルフギア選定処理を行なうための動作プログラムに従って自動的に行なわれる、請求項１４から２０のいずれか１に記載のゴルフギア選定システム。
【請求項２２】
インターネット等通信ネットワークを介して複数のユーザ端末と接続するゴルフギア選定サーバが、前記ユーザ端末によりアクセスするユーザに適合するゴルフギアを通信ネットワーク上で選定するためのゴルフギア選定プログラムにおいて、少なくとも、
（１）前記ユーザ端末に設問データベースに記憶されているゴルフギア選定のための所定の設問と回答欄を含むチエックリストを送信する機能、
（２）前記設問に対して回答されたチエックリストを前記ユーザ端末から受信する機能、
（３）前記ユーザ端末から受信したチエックリストの回答結果を、選定基準データベースに記憶されている選定ゴルフギアに関する算定基準および評価基準を含む所定の選定基準データに照合し、前記算定基準に従って回答欄の回答点数を算定し、算定した算定値を前記評価基準に基づいて評価し、評価に基づいてゴルフギアを自動的に選定する機能、および
（４）選定したゴルフギアに関する情報をユーザ端末に表出する機能、をゴルフギア選定サーバのコンピュータに実現させることを特徴とするゴルフギア選定プログラム。
【請求項２３】
インターネット等通信ネットワークを介して複数のユーザ端末と接続するゴルフギア選定サーバが前記ユーザ端末によりアクセスするユーザに適合するゴルフギアを選定するためのゴルフギア選定プログラムにおいて、少なくとも次の機能をゴルフギア選定サーバのコンピュータに実現させることを特徴とするゴルフギア選定プログラム。
（１）前記ユーザ端末に設問データベースに記憶されているゴルフギア選定のための所定の設問と回答欄を含むチエックリストを送信する機能、
（２）前記設問に対して回答されたチエックリストを前記ユーザ端末から受信する機能、
（３）前記ユーザ端末から受信した回答結果を、選定基準データベースに記憶されている選定ゴルフギアに関する算定基準および評価基準を含む所定の選定基準データに照合し、前記算定基準に従って回答欄の回答点数を算定し、算定した算定値を前記評価基準に基づいて評価し、評価に基づいてゴルフギアを自動的に選定する機能、
（４）前記選定したゴルフギアに関する情報をユーザ端末に表出する機能、および
（５）前記選定したゴルフギアに関する情報に含まれるゴルフギアについてユーザ端末から購入注文を受信する機能。
【請求項２４】
前記選定したゴルフギアに関する情報の他にゴルフ関連情報を送信する機能を更に含む、請求項２２または２３に記載のゴルフギア選定プログラム。
【請求項２５】
前記ゴルフギアに関する情報はゴルフギア受注、販売情報を含み、
前記設問または前記受注、販売情報は、ユーザ端末によりアクセスするユーザの性別、年齢、または更にはゴルフ歴を含む、請求項２２から２４のいずれか１に記載のゴルフギア選定プログラム。
【請求項２６】
前記設問はユーザ端末によりアクセスするユーザのゴルフ観を評価できる項目を含む、請求項２２から２５のいずれか１に記載のゴルフギア選定プログラム。
【請求項２７】
前記選定基準データは、各前記設問と設問に対する各回答欄に対応するゴルフギアの種類、またはプロゴルファもしくは有名人名等から適宜選択された情報を含む、請求項２２から２６のいずれか１に記載のゴルフギア選定プログラム。
【請求項２８】
前記選定したゴルフギアに関する情報は少なくともゴルフギアの種類を含み、かつ選択的にゴルフギアのメーカかつ／または販売店、プロゴルファ名、ゴルフコース名、プロゴルファまたは有名人のコメント等を含む、請求項２２から２７のいずれか１に記載のゴルフギア選定プログラム。
【請求項２９】
前記設問および前記選定基準データはゴルフギア選定サーバのデータ収集部においてそれぞれのデータベースに記憶されている、請求項２２から２８のいずれか１に記載のゴルフギア選定プログラム。
【請求項３０】
前記ゴルフギアを選定するために、照合し、算定し、かつ評価する機能は、ゴルフギア選定サーバのデータ収集部に記憶されているゴルフギア選定処理を行なうための動作プログラムに従って自動的に実行される、請求項２２から２９のいずれか１に記載のゴルフギア選定プログラム。
【発明の詳細な説明】
【技術分野】
【０００１】
本発明はゴルフクラブ、ゴルフボール等のゴルフギアを自分の実力、技能に照らして選択するだけでなく、理想または趣味嗜好に合わせて選択できるようにするために、インターネット等通信ネットワークを介してユーザ端末と接続し、ユーザ端末のユーザに好適なゴルフギアのセッティング、即ち選定、を行なうゴルフギア選定方法、システム、およびコンピュータプログラムに関する。
【背景技術】
【０００２】
従来、ゴルフクラブの選定方法として、ヘッドスピード、スイングタイプ等に関する、いわゆる個人のゴルフ能力に基づいて店頭で店員または友人に相談しながら選定する方法が知られている。個人の能力もしくは現在の実力、技量、技法等に基づく選定方法は現実的であるが、娯楽性、趣味性に欠けるので、人によっては無味乾燥である。特にゴルフを趣味とし、夢や憧れをもってプレイを楽しんでいるゴルファーにとっては、自分の現状能力により選定することは、いわば義務感を伴う選定方法であり、趣味のゴルフに義務感を持たされたくないと考える場合もある。かかる場合、夢や憧れをもって楽しみながら選定できる環境が望まれる。
【０００３】
【特許文献１】特許番号第２５９７３８９号
【発明の開示】
【発明が解決しようとする課題】
【０００４】
そこで、本発明は、インターネット等通信ネットワークを介してユーザと接触し、個人の能力、技量、技法のみならず、ユーザのゴルフ観を調査し、そのゴルフ観に適合するゴルフクラブ、ゴルフボール等のゴルフギアを所定基準に照らして自動的に選定し、選定したゴルフギアに関する商品情報を提供する方法、システム、およびプログラムを提供することを目的とする。
【０００５】
更に、本発明は、上記のごとく選定されたゴルフクラブ、ゴルフボール等ゴルフギアのインターネット等通信ネットワーク上でのユーザ端末による商品の購入注文を可能にすることを目的とする。
【課題を解決するための手段】
【０００６】
上記課題を達成するための本発明によるゴルフギア選定方法は、インターネット等通信ネットワークを介して複数のユーザ端末に接続するゴルフギア選定サーバが前記ユーザ端末によりアクセスするユーザに適合するゴルフギアを、通信ネットワーク上で選定するゴルフギア選定方法において、ゴルフギア選定サーバが、
前記ゴルフギア選定サーバにアクセスした前記ユーザ端末にゴルフギア選定のために複数の設問と前記設問に対する回答欄を含むチエックリストを送信し、
前記設問に対して回答されたチエックリストを前記ユーザ端末から受信し、
前記設問に対して回答されたチエックリストを前記ユーザ端末から受信し、
前記ユーザ端末から受信したチエックリストの回答結果を、選定ゴルフギアに関する算定基準および評価基準を含む所定の選定基準データに照合し、前記算定基準に従って回答欄の回答点数を自動的に算定し、算定した算定値を前記評価基準に基づいて評価し、評価に基づいてゴルフギアを自動的に選定し、かつ
選定したゴルフギアに関する情報をユーザ端末に送信する、各工程を含むことを特徴とする。
【０００７】
本発明は更にインターネット等通信ネットワークを介して複数のユーザ端末と接続するゴルフギア選定サーバが前記ユーザ端末によりアクセスするユーザに適合するゴルフギアを通信ネットワーク上で選定するためのゴルフギア選定システムを提供し、このシステムは、ゴルフギア選定サーバが、
前記ユーザ端末にゴルフギア選定のために複数の設問と前記設問に対する回答欄を含むチエックリストを送信する手段、
前記設問に対して回答されたチエックリストを前記ユーザ端末から受信する手段、
前記ユーザ端末から受信したチエックリストの回答結果を、選定ゴルフギアに関する算定基準および評価基準を含む所定の選定基準データに照合し、前記算定基準に従って回答欄の回答点数を自動的に算定し、算定した算定値を前記評価基準に基づいて評価し、評価に基づいてゴルフギアを自動的に選定する手段、および
そのようにして選定したゴルフギアに関する情報をユーザ端末に表示する手段を含むことを特徴とする。
【０００８】
本発明は更にインターネット等通信ネットワークを介して複数のユーザ端末と接続するゴルフギア選定サーバが前記ユーザ端末によりアクセスするユーザに適合するゴルフギアを選定するためのゴルフギア選定プログラムを提供し、このプログラムは、少なくとも（１）前記ユーザ端末に設問データベースに記憶されているゴルフギア選定のための所定の設問と回答欄を含むチエックリストを送信する機能、（２）前記設問に対して回答されたチエックリストを前記ユーザ端末から受信する機能、（３）前記ユーザ端末から受信したチエックリストの回答結果を、選定ゴルフギアに関する算定基準および評価基準を含む所定の選定基準データに照合し、前記算定基準に従って回答欄の回答点数を自動的に算定し、算定した算定値を前記評価基準に基づいて評価し、評価に基づいてゴルフギアを自動的に選定する機能、および（４）選定したゴルフギアに関する情報をユーザ端末に表出する機能、をゴルフギア選定サーバのコンピュータに実現させることを特徴とする。
【０００９】
本発明は、更に、他の形態による、インターネット等通信ネットワークを介して複数のユーザ端末と接続するゴルフギア選定サーバが前記ユーザ端末によりアクセスするユーザに適合するゴルフギアを選定するためのゴルフギア選定プログラムを提供し、このプログラムは、少なくとも（１）前記ユーザ端末に設問データベースに記憶されているゴルフギア選定のための所定の設問と回答欄を含むチエックリストを送信する機能、（２）前記設問に対して回答されたチエックリストを前記ユーザ端末から受信する機能、（３）前記ユーザ端末から受信した回答結果を、選定基準データベースに記憶されている選定ゴルフギアに関する算定基準および評価基準を含む所定の選定基準データに照合し、前記算定基準に従って回答欄の回答点数を自動的に算定し、算定した算定値を前記評価基準に基づいて評価し、評価に基づいてゴルフギアを自動的に選定する機能、（４）前記選定したゴルフギアに関する情報をユーザ端末に表出する機能、および（５）前記選定したゴルフギアに関する情報に含まれるゴルフギアについてユーザ端末から購入注文を受信する機能をゴルフギア選定サーバのコンピュータに実現させることを特徴とする。
【００１０】
前記ゴルフギア選定方法の好適形態において、前記ゴルフギア選定サーバが前記選定したゴルフギアに関する情報に含まれるゴルフギアについてユーザ端末から購入注文を受ける工程または受注、販売情報を提供する工程を更に含む。
前記ゴルフギア選定方法の好適形態において、前記選定したゴルフギアに関する情報の他にゴルフ関連情報を提供する工程を更に含む。
【００１１】
前記ゴルフギア選定方法、ゴルフギア選定システム、およびゴルフギア選定プログラムの好適形態において、前記ゴルフギアはゴルフクラブ、ゴルフボール、またはユーザ端末が希望する種々のゴルフ道具を含む。
【００１２】
前記ゴルフギア選定方法、ゴルフギア選定システム、およびゴルフギア選定プログラムの好適形態において、前記ゴルフギアに関する情報は、ゴルフギア受注、販売情報を含み、前記設問または前記受注、販売情報はユーザ端末によりアクセスするユーザの性別、年齢、または更にはゴルフ歴を含む。
更に、前記所定の設問はユーザ端末によりアクセスするユーザのゴルフ観を評価できる二以上の複数の項目を含み、ここで、ゴルフ観とは実力と関係のないゴルフに関するイメージもしくは考え方を意味し、例えば、理想とするもしくは嗜好するスイング、ショットもしくはアプローチのタイプ、またはゲーム戦略もしくはコースプラン、または好きなプロゴルファ、コース、グリーン、ボール感触もしくは球筋、またはウッド、アイアンもしくはパターに求める性能等である。従って、前記ゴルフ観を評価できる設問は前記ユーザ端末によりアクセスするユーザが理想とするもしくは嗜好するスイング、ショットもしくはアプローチのタイプ、またはゲーム戦略もしくはコースプラン、または好きなプロゴルファ、コース、グリーン、ボール感触もしくは球筋、またはウッド、アイアンもしくはパターに求める性能等に関して選択設定された適宜項目で構成されてよい。
好適には、前記ゴルフ観を評価できる設問、およびその他の設問は１項目につき２肢またはそれ以上の多肢選択式である。
【００１３】
前記ゴルフギア選定方法、ゴルフギア選定システム、およびゴルフギア選定プログラムの好適形態において、前記選定基準データは前記設問に対応する項目と、前記設問に対する回答に対応するゴルフギアの種類、プロゴルファ名、ゴルフコース名等から適宜選択された情報を含む。
前記選定基準データに基づいて選定されたゴルフギアに関する情報は、少なくともゴルフギアの種類を含み、かつ選択的にゴルフギアのメーカ、販売店、プロゴルファ名、ゴルフコース名、プロゴルファまたは有名人のコメント等を含んでよい。
【００１４】
更に、前記ゴルフ関連情報は、ゴルフギアの外観の写真、値段、設計コンセプト、特性もしくは販売店名等のゴルフ用品に関する商品情報、ゴルフコース情報、ゴルフイベント情報、ゴルフ旅行情報、およびそれらに関するユーザまたはプロゴルファからのコメント等に関する情報から適宜選択された情報を含むものであってよい。
【００１５】
前記ゴルフギア選定方法、ゴルフギア選定システムおよびゴルフギア選定プログラムの好適形態において、前記設問および回答欄を含むチエックリスト、ならびに前記所定選定基準データは、ゴルフギア選定サーバのデータ収集部においてそれぞれのデータベースに記憶されている。
【００１６】
前記ゴルフギア選定方法の好適形態において、前記ゴルフギアを選定する工程はゴルフギア選定サーバのデータ収集部に記憶されているゴルフギア選定処理を行なうための動作プログラムに従って選定処理部により行なわれる。
前記選定処理部は、一実施形態において、各設問に対してユーザ端末から受信したチエックリストの回答結果である回答数を、選定基準データベースに記憶されている選定ゴルフギアに関する算定基準および評価基準を含む所定の選定基準データに照合し、ゴルフギアの種類によって各回答欄に特定数値を付与した算定基準表に従って自動的に集計し、集計した集計値を前記評価基準に基づいて評価し、評価に基づいて回答結果に適合するゴルフギアを自動的に選定する。
【００１７】
前記ゴルフギア選定システムにおいて、前記ユーザ端末にゴルフギア選定に関する設問および回答欄を含むチエックリストを送信する送信手段、および前記選定したゴルフギアに関する情報をユーザ端末に送信表示する手段はゴルフギア選定システムの送受信機能を実現する通信部の送信部からなり、前記ユーザ端末から受信する受信手段は前記通信部の受信部からなる。通信プログラムはデータ収集部に記憶されている。
前記ゴルフギア選定システムにおいて、ゴルフクラブ等ゴルフギアを選定する選定処理手段は選定処理機能を実現する選定処理部からなり、その動作プログラムはデータ収集部に記憶されている。
【００１８】
前記ゴルフギア選定方法、システムおよびプログラムにおいて、前記ユーザ端末による回答および前記ゴルフギア選定サーバで選定処理されたゴルフギアに関する情報はデータ収集部に登録される。
【００１９】
前記ゴルフギア選定に関する設問はユーザ端末を通してゴルフギア選定サーバにアクセスしたユーザの実力中心の設問、憧れだけの設問、両者結合した設問等ゴルフギア選定サーバにより任意に選択、かつ分類されてよい。
【発明の効果】
【００２０】
以上のごとく、本発明によるゴルフギア選定システム、方法およびプログラムは、インターネット等通信ネットワーク上でのゴルフプレイヤに適合するゴルフクラブ、ゴルフボール等ゴルフギアの客観的選定、即ちゴルフクラブ等のセッティングを可能にし、ゴルフプレイヤの年齢、スコア、ゴルフ歴等のゴルフ能力、技量に応じて実用的にゴルフクラブ、ボール等のゴルフギアを選定するだけでなく、ゴルフプレイヤの理想とするまたは趣味、嗜好に合わせたゴルフクラブ、ボール等ゴルフギアの選択を可能にし、ゴルフプレイヤの好みに適したゴルフクラブ等ゴルフギアを紹介し、購入を可能にする。
【発明を実施するための最良の形態】
【００２１】
以下に、本発明によるゴルフギア選定方法およびシステムを本発明の実施形態を示す図面を参照して説明する。
図１は本発明によるゴルフギア選定を実施するためのコンピュータベースのゴルフギア選定サーバ１のシステム構成を示すブロック図の一例である。図１を参照して、本システムの総括的動作を説明する。
【００２２】
図１において、本発明によるゴルフギア選定システムは、基本的には、インターネット５等通信ネットワークを介してゴルフギア選定サーバ１およびゴルフギア選定サーバ１に接続される複数のユーザ端末２で構成される。ユーザ端末２は一般ゴルファー等ユーザが使用する端末であり、ゴルフギア選定サーバ１はゴルフギア販売店を例に選んで説明するが、メーカ、商社、公告代理店等ゴルフギア選定に関する情報を提供する者が使用する、コンピュータおよびそのためのインターネット上のサイトを意味する。本ゴルフギア選定システムにおいて、ゴルフギア選定サーバ１は更にメーカ端末３、プロゴルファ端末４とインターネット５等通信ネットワークを介して接続する構成であってよい。通信ネットワークはインターネット５の他に電話、フアクシミリ、専用端末、パソコン等の通信回線を含む。
【００２３】
図示例において、ゴルフギア選定サーバ１は通信部11、情報受信部1２、情報提供部1３、データ収集部14、および選定部15から成る。ユーザ端末２はインターネット５を介してゴルフギア選定サーバ1の通信部11、情報受信部1２、または情報提供部1３と接続可能である。
【００２４】
通信部１１、情報受信部1２、または情報提供部1３は、インターネット５を介して、種々の情報および画像を送受信し、操作制御、表示する機能を有する。通信部１１を、ユーザ端末２によりアクセスするユーザに適合するゴルフクラブ、ゴルフボール等を選定するための専用通信部として使用する場合、情報受信部1２、または情報提供部1３は後述するように他の通信目的に使用できる。
【００２５】
データ収集部１４は、通信プログラム、ゴルフギア選定処理のための動作プログラム、必要に応じた種々の制御プログラムを有し、かつゴルフギア選定のために予め用意された設問を記憶した設問データベース、設問に対応して予め作成された選定基準データを記憶した選定基準データベース、ユーザの回答結果、選定結果等ユーザに関する情報を記憶したユーザデータベース、ゴルフクラブ、ゴルフボール等のゴルフギアのメーカ名、型式、性能に関するゴルフギア情報を記憶した商品データベース、商品の購入注文を受ける受注データベース、およびその他のゴルフ関連情報を記憶したデータベース等を含む。
【００２６】
選定処理部１５は通信部１１で受信したユーザの回答結果を予め作成されている選定基準データと照合して、ユーザに最適もしくは好適なゴルフクラブ、ゴルフボール等のゴルフギアを選定処理する機能を有する。
情報受信部１２および情報提供部１３は通信部１１と別途に選択的に設けられてよい。この場合、情報受信部１２は、ゴルフギア選定に関する依頼とは別に、ユーザ端部２から様々な依頼、購入注文、苦情、満足度等の情報、メーカからの新商品情報、またはプロゴルファ、有名人等からのアドバイス等、インターネット５または別途に電話回線、ファックス通信等を介して入手できる。そのようにして入手された情報はデータ収集部１４の対応するデータベースに記憶される。
【００２７】
情報提供部１３は、同様に、ゴルフギア選定に関する依頼とは別に、ユーザ端部２にゴルフギアに関する商品情報、ゴルフ関連情報等を提供するために使用できる。設問の提供はインターネットの電子メールもしくはホームページの他に郵送手段、電話もしくはファクシミリ通信等による提供が可能である。また、設問に対するユーザの回答には同様に郵送、電話もしくはファクシミリ通信等がインターネットの電子メールまたはホームページの他に利用できる。
【００２８】
図２はユーザ端末２からアクセスを受信したゴルフギア選定サーバ１側のユーザ端末２に応対するゴルフギア選定システムの流れを示すフローチャートである。
【００２９】
図２を参照しながら流れを簡単に説明すると、本システムにおいて、ゴルフギア選定サーバ１は、インターネット５上にゴルフギア選定のためのホームページを開設し、ユーザ端末２からのアクセスを通信部１１で受信した場合に、ユーザに好適なゴルフクラブ、ゴルフボール等ゴルフギアを選定するために、ゴルフギアの選定に先立ち、ユーザが回答するためにデータ収集部１４に予め用意された設問を通信部１１からユーザ端末２に提供し（Ｓ１）、設問に対するユーザの回答を通信部１１から受信する（Ｓ２）。ゴルフギア選定サーバ１は、受信した回答結果を確認して、回答が不完全な場合にはゴルフギア選定サーバ１はユーザ端末２に設問を再度送信して未回答項目に入力するように指示し（Ｓ３）、完全な回答が得られた場合には選定部１５において、回答結果をデータ収集部１４に予め作成されて登録されている選択基準データと照合し、回答結果に相応するゴルフギアを自動的に選定処理し（Ｓ４）、選定処理した選定結果をユーザ端末２に送信する（Ｓ５）。
【００３０】
ゴルフギア選定サーバ１は、更に、選定されたゴルフクラブ等につき商品情報が必要か否か通信部１１からユーザ端末２に質問し（Ｓ６）、ユーザ端末２がそれ以上の商品情報を必要としない場合にはここで通信を終了することができる。
【００３１】
他方、ユーザ端末２が更に商品情報を必要とする場合には、ゴルフギア選定サーバ１は必要とされる商品情報を提供し（Ｓ７）、更に、他のゴルフ関連情報の必要性をユーザ端末２に質問し（Ｓ８）、ユーザ端末２がそれを希望する場合にはその情報を提供し（Ｓ９）、ユーザ端末２が通信終了の入力をすることにより交信を終了する。商品情報は選定ゴルフギアの詳細および購入商品に関する受注欄を含むものであってよく、受注があった場合には、宅配便等によりユーザ端末２で指定されたユーザに注文品を配送する。代金の決済は、電子マネー、口座引き落とし、銀行振込、商品交換払い（代金引換え）等適宜に行なわれてよい。また、ユーザ端末２による商品の受注は後日、情報受信部１２を介して行うことができる。
【００３２】
更に、詳細にゴルフギア選定システムの流れを説明すると、ユーザがユーザ端末２を入力し、ユーザ端末２がゴルフギア選定サーバ１に接続されると、ユーザ端末２から通信部１でアクセスを受信したゴルフギア選定サーバ１は予め用意されデータ収集部１４の設問データベースに登録されている設問をステップ１（Ｓ１）においてユーザ端末２に通信部１１からインターネット５を介して送信する。設問はユーザ端末２を介したユーザの性別、年齢、およびゴルフ歴かつ／またはゴルフの平均スコアを含み、更にゴルフゲームの楽しさを増すであろうユーザの嗜好に適合した理想的ゴルフクラブ、ゴルフボール等を選定するために、ユーザのゴルフ観に関する設問を含むことが好ましい。図３から７はユーザのゴルフ観のみに関する設問例を示すチエックリストの送信画面の図であるが、ステップ１（Ｓ１）の設問においてユーザの性別、年齢、およびゴルフ歴かつ／またはゴルフの平均スコア等が加えられた画面がユーザ端末２に表出されてよい。
【００３３】
図３から図７において、設問例はいずれも１５項目であり、各項目につき二者択一で回答する形式を採用したチエックリストを構成している。設問例、項目数、回答形式は適宜変更されてよい。二回答以上の回答欄を含む多肢任意選択形式のチエックリストを採用することも可能である。
【００３４】
図３において、設問画面例は「最適なクラブ選定アンケート」と題され、１５項目の１項目ごとに二つの回答欄が設けられている。ユーザ端末２は自分の求める方又は好む方の１肢をクリックしてマークを付ける。第１項目は球筋につき、ドローかフェードか、自分の求める方又は好む方にマークを付ける。第２項目は同様に球筋につき、高弾道か低弾道かを好みの球筋を選択し、クリックする。第３項目はショットメイクにつき飛距離か方向性か、第４項目はショットイメージにつき、切れの良いショットか力強いショットか、第５項目は向上したいのはショットかアプローチおよびパットか、第６項目はスイングタイプにつき、スインガーかヒッターか、第７項目は同様にスイングタイプにつき、ボディーターンかリストターンか、第８項目はスイングプレーンにつき、アップライトかフラットか、第９項目はスイング軌道につき、ダウンプローかスイープか、第１０項目はスイングテンポにつき速いか遅いか、第１１項目はスイングイメージにつき、力を抜いてかしっかりとか、第１２項目は飛距離を出すためには、大きなスイングアークか速いボディーターンか、第１３項目は同様に飛距離を出すためには、低スピンか初速アップか、第１４項目は同様に飛距離を出すためには、ヘッドスピードアップかミート率アップか、第１５項目はリストにつき、使うか使わないかを１つずつ選択する。
【００３５】
図４は、同様に、「最適なクラブ選定アンケート」に関するチエックリストであり、このアンケートは図３の設問例に加えて性別および年齢を含む。ユーザ端末２は、ユニット性別に関しては男女いずれか一方をクリックによりマークし、年齢に関しては数値を入力する必要があり、図３の場合と同様に１５項目につき、二つの回答欄のいずれか一方にチエックマークを入れることにより回答を終了する。
【００３６】
図５は、「最適なクラブ選定アンケート（パター編）」に関する設問画面例を示すチエックリストの図である。設問は図３と同様にユーザ端末１に二者択一選択式に回答させる形式である。第１項目はグリーンのスピードにつき、速いグリーンか遅いグリーンか、ユーザ端末に自分の求める方又は好む方にマークを付けさせる。第２項目はラインにつき、フックラインかスライスラインか選択させる。第３項目は同様にラインにつき上りか下りか、第４項目は同様にラインにつき順目か逆目か、第５項目はストロークタイプにつきストロークかヒットか、第６項目は同様にストロークタイプにつきショルダーかリストか、第７項目は同様にストロークタイプにつき柔らかいタッチか強いタッチか、第８項目はパターに求める性能につき距離感か方向性か、第９項目はグリーン外からのパターの使用につき良く使うかあまり使わないか、第１０項目は球筋につき転がりのよいか行き過ぎないか、第１１項目は３ｍの傾斜ラインにつき薄く強く狙うか流し込むか、第１２項目は７ｍのパットにつき確実に２パットか狙いにいくか、第１３項目はミスの傾向につき押出しか引っかけか、第１４項目は同様にミスの傾向につき打ち過ぎかショートか、第１５項目はグリーンにつき高麗かベントか求める方または好む方を選択させる。
【００３７】
図６は「最適なクラブおよびボール選定アンケート」に関する設問画面例を示す。第１項目は球筋につき、ドローかフェードか、ユーザ端末に自分の求める方又は好む方にマークを付けさせる。第２項目は同様に球筋につき、高弾道か低弾道かいずれかを選択させる。第３項目はショットメイクにつき飛距離か方向性か、第４項目はスイングタイプにつきスインガーかヒッターか、第５項目はアプローチタイプにつき上げるか転がすか、第６項目はスイングプレーンにつきアップライトかフラットか、第７項目は飛距離を出すためには大きなスイングアークか速いボディーターンか、第８項目はゲームタイプにつき4バーディ4ボギーかオールパーか、第９項目はゲームプランにつき攻撃か防御か、第１０項目はショットプランにつき点から点へかまたは直線的にか、第１１項目はショットプランにつき手前からかデッドにか、第１２項目は風への対処につき風をくぐらすか風を利用するか、第１３項目は好きなコースにつき林間コースかリンクスコースか、第１４項目は同様に好きなコースにつきアップダウンかフラットか、そして第１５項目は同様に好きなコースにつきグリーンが大きいかグリーンが小さいか、いずれか一方を選択させる。
【００３８】
図７の設問例は最適なボール選定アンケートに関し、他の設問例と同様に、１５項目の各項目につき二者択一で回答する形式を採っている。第１項目は球筋につき、ドローかフェードか、自分の求める方又は好む方にマークを付ける。第２項目は同様に球筋につき、高弾道か低弾道かを選択させ、第３項目はショットメイクにつき飛距離か方向性か、第４項目は向上したいのはショットかアプローチおよびパットか、第５項目はアプローチタイプにつき上げるか転がすか、第６項目は同様にアプローチタイプにつき柔らかいショットまたはスピンショットか、第７項目はボールの硬さにつき硬いか柔らかいか、第８項目はスイング軌道につきダウンブローかスイープか、第９項目は飛距離を出すためには低スピンか初速アップか、第１０項目はグリーンへの着地につきバックスピンかその場で止まるか、第１１項目はボール感触につき良く弾くか良くくっつくか、第１２項目はボールに求める性能につき直進性か操作性か、第１３項目は同様にボールに求める性能につき初速の速さか落ち際の伸びか、第１４項目は更にボールに求める性能につき高さによる止まりかスピンによる止まりか、第１５項目は更にボールに求める性能につき機能性か耐久性かを選択させる。
【００３９】
図３から７の画面を受信したユーザ端末２は図３から７のいずれかのアンケートの設問に対して回答し、回答終了をクリックし、メニュー画面に戻り、ゴルフギア選定サーバ１へ回答アンケート、即ちチエックリストを送信する。ステップ２（Ｓ２）でユーザ端末２から送信された回答をゴルフギア選定サーバ１が受信したならば、ゴルフギア選定サーバ１はステップ（Ｓ３）において回答項目を確認し、回答の漏れがある場合には（No)、漏れた項目へ回答を入力するように指示をする。
漏れた項目への回答入力を求める画面は図７に示されている。この画面はアンケートに入力されていない項目があること、全ての項目を入力することを指示、もしくはメニュー画面に戻って入力し直すことを指示する。そこでユーザ端末２はアンケート画面へ戻り、回答漏れ項目の肢にマークを記入してゴルフギア選定サーバ１へ完全なアンケートを送信する。
【００４０】
ゴルフギア選定サーバ１は、図３から７のいずれかのアンケート画面の設問に対する完全な回答をユーザ端末２から受信した場合には(Yes)、ステップ４（Ｓ４）において選定処理部１５により回答を読み取り、予め作成してデータ収集部１４のデータベースに記憶されている所定の選定基準データと照合して、回答に対応して関連づけされたゴルフクラブかつ／またはゴルフボールを選定処理する。
【００４１】
ゴルフクラブかつ／またはゴルフボールの選定処理は、予め選定関連データを収集して作成された選定基準データベースに基づいて自動的に実行される。
【００４２】
選定基準となる関連データは、例えば各レベルのゴルファーから情報収集され、所定の設問に対する各レベルのゴルファーの回答を基にして、そのゴルファーの使用しているゴルフクラブ／ゴルフボール、特に使用後の結果の好ましい型式に関して作成される。つまり、図３から７のアンケートの設問に対する回答欄の各肢内容に対応するゴルフクラブ／ゴルフボールのデータを様々なレベルのゴルファーから収集される。
【００４３】
更に選択的に、所定の設問に対して複数のプロゴルファ又は有名人から回答を得ることによって、そのプロゴルファ又は有名人が使用しているゴルフクラブ／ゴルフボール関する情報、又は契約しているメーカのゴルフクラブ／ゴルフボール、ＴＶのコマーシャル等で宣伝しているゴルフクラブ／ゴルフボール等に関する情報が収集される。
【００４４】
そして、そのようにして収集したデータを基に、選定基準データベースを作成し、図３から７のいずれかアンケートの設問に回答したユーザ端末に対して、同じ回答、又は最も近い回答をしている対応データを抽出し、その対応データに係るゴルフクラブ／ゴルフボールを選定する。
【００４５】
図９の表１は、図３の設問の回答結果によって、最適なクラブセッティングを選択するための点数表を示す。表１には、セッティングＡ〜Ｅが、図３の各設問１〜１５の回答結果によって得られる点数を示している。図３に示す各設問の左右をマークした結果（回答結果）によって得られる点数を示すものである。
【００４６】
各設問に対する点数は、その設問の重要度等によって異なっている。また、各設問について、該当するセッティングのふさわしくないと評価される方（低い方の点数）の点数も、その設問がそのセッティングに対してどの程度寄与しているか等によって異なっている。例えば、設問１に対するセッティングＡ〜Ｅの点数は、ふさわしいと考えられる方（高い方）が全て７点に対し、ふさわしくないと考えられる方（低い方）が順番に１、２、１、４、４点と異なっている。これと同様に、高い方の点数が異なっていてもよい。
【００４７】
また、セッティング毎に高い方の点数を設問１〜１５まで加算した点数、低い方の点数を設問１〜１５まで加算した点数、及びそれらの総合点も、各セッティングによって異なっていてもよい。
例えば現在の主流のセッティングであれば、選択される可能性が高いので、総合点が高くなる傾向にある。
このように、各回答肢に付与される点数は、選択即ち選定されるセッティングとの関係で、適宜調整できる。
【００４８】
以上のような点数の設定は、プロゴルファーが現在使用しているセッティングの調査による結果、および将来的販売戦略等の情報を加味して適宜設定される。
【００４９】
図１０は表２を示し、表２は、ユーザ端末による回答結果による各セッティングの得点数を示す。表２において、各設問について選択した設問を白抜きにして示し、かつ選択されなかった設問を塗り潰している。
回答結果による回答欄の得点数を設問１から１５まで集計すると、セッティングＡ〜Ｅの順番に、３２点、６９点、８５点、５８点、７２点となり、セッティングＣが８５点で最高値となり、セッティングＣは、「ウッド＃１、＃３、＃４、アイアン＃３〜ＳＷ」が最も好ましいセッティングと評価されており、ユーザ端末による回答結果に対して最適なゴルフギアセッティングはセッティングＣと選定される。セッティングＡ、Ｂ、ＤおよびＥについて好ましいと評価されるゴルフギアは表２の下に示された通りである。
【００５０】
以上の結果より、好ましいと判断されるクラブセッティングの上位３パターンを推奨結果として図１５に示した。図１５については後述する。
【００５１】
次に、設問の回答結果よりクラブ選択をする例を説明する。
上記のセッティングの結果に基づいて、セッティングを構成する各ゴルフクラブの選択について説明する。
図１１の表３は図３の設問の回答結果によって、ゴルフクラブ、より詳しくはウッドゴルフクラブを選択するための点数表を示す。表３には、ゴルフクラブＡ〜Ｅが、図３の各設問１〜１５の回答結果によって得られる点数を示している。即ち、図３に示す各設問に対する左右の回答欄に付与される点数を示すものである。
【００５２】
各設問に対する点数は、その設問の重要度等によって異なっている。また、各設問について、該当するゴルフクラブのふさわしくないと考えられる方（低い方の点数）の点数も、その設問がそのゴルフクラブに対してどの程度寄与しているか等によって異なっている。例えば、設問１に対するゴルフクラブＡ〜Ｅの点数は、ふさわしいと考えられる方（高い方）が全て１０点に対し、ふさわしくないと考えられる方（低い方）が順番に３、５、１、２、６点と異なっている。この場合、高い方の点数も異なっていてよい。
【００５３】
更に、ゴルフクラブ毎に高い方の点数を設問１〜１５まで加算した点数、低い方の点数を設問１〜１５まで加算した点数、及びそれらの総合点も、各ゴルフクラブによって異なっていても良い。
例えば人気のあるゴルフクラブであれば、選択される可能性が高いので、総合点が高くなる傾向にある。
以上のような点数の設定は、ゴルファーが現在使用しているゴルフクラブの調査による結果、ゴルフクラブの販売状況、これからの販売戦略等の情報より適宜設定されるものである。
【００５４】
図１２の表４は、ユーザ端末による回答結果を表３と照合し、表３の算定基準値に基づいて集計した表である。表４において、各設問について選択した設問を白抜きにして示し、選択されなかった設問を塗り潰している。
算定基準値に従って回答欄の回答点数を集計すると、ゴルフクラブＡ〜Ｅの順番に、５３点、４４点、６８点、４６点、８３点となり、「Ａ社  チタン１２３」で構成されるゴルフクラブＥが最高点を取得している。従って、回答結果に対する評価として、「Ａ社  チタン１２３」が最も好ましいゴルフクラブと選定される。
【００５５】
以上に説明したように、表３および表４は、ウッドゴルフクラブの選択例を示すものである。アイアンゴルフクラブ、ユーティリティゴルフクラブ等もウッドゴルフクラブと同じように選択することが可能である。
【００５６】
図１３の表５は、プロゴルフアＡ〜Ｉが使用しているゴルフクラブ、ボール等ゴルフギアを基準に分類したデータである。表５は、例えば図３と同様の設問１から１５に関し、各プロゴルフアＡ〜Ｉの選択結果を採点表で示す。この表は、設問１から１５の順に二者択一の左右回答欄の好みの方に１０点から４点を配点し、好まない方を０点で採点する算定基準となる点数表を示す。
【００５７】
回答結果に関し、図１４の表６は、ユーザ端末による回答結果に基づく各プロゴルファのタイプ別の得点数を示す。表６において、各設問について選択した設問を白抜きにして示し、かつ選択されなかった設問を塗りつぶしている。選択された回答結果による回答欄の得点数を設問１から設問１５まで集計すると、プロゴルファＦの列が７８点で最高値となっている。この最高値をプロゴルファＦに最も近いと評価することより、この回答をしたユーザには、プロゴルファＦタイプが選定される。選定結果は、図２２に示すように、プロゴルファＦの使用しているクラブセッティング、クラブに関するコメントと同時に選定クラブに関する商品情報および購入情報を掲載した画面としてユーザ端末に送信される。
【００５８】
上述のごとく、選定結果はステップ５（Ｓ５）においてゴルフギア選定サーバ１の通信部１１からユーザ端末２へ送信される。選定結果の送信画面例として、図１５において、クラブセッティング、ウッド、ユーティリティ、アイアンについて回答結果から診断された最適クラブとして３段階で推奨例が示されている。クラブセッティングについて第一推奨例はウッド１番、３番、４番、アイアン３番からサンドウエッジ、第二推奨例はウッド１番、３番、５番、７番、アイアン４番からサンドウエッジ、第三推奨例はウッド１番、３番、４番、ユーティリティ３番、アイアン４番からサンドウエッジである。ウッドについて、第一推奨例としてＡ社のチタン１２３、第二推奨例としてＢ社のＭＴ４３９、第三推奨例としてＣ社のＴＡＡ１０４５が挙げられている。ユーティリティについて、第一推奨例はＤ社のＵＴ４５６および第二推奨例はＥ社のＵＳＵモデルが挙げられている。アイアンについて、第一推奨例はＦ社のＳＵモデル、第二推奨例はＧ社のＩＴＴ２００１、第三推奨例はＨ社のＺＣ４５１である。
【００５９】
図１５の送信画面では、クラブ選定結果と同時に、選定クラブに関する商品情報および購入情報を掲載している。ただし、選定結果とは別に、その後に、ステップ６（Ｓ６）で説明したように、ゴルフギア選定サーバ１は、ユーザ端末２の便宜のために、選定されたゴルフギアについて商品情報提供の必要性があるか否かを問う画面をユーザ端末２に送信してよい。上述のごとく、ユーザ端末２から商品情報を必要とする入力を受信した場合（Yes)には、ステップ７（Ｓ７）においてゴルフギア選定サーバ１はデータ収集部１４の商品データベースに登録されているデータから該当する商品情報を選択してユーザ端末２へ送信する（図２８〜３２参照）。図２８〜３２については、後述する。ユーザ端末２が商品情報を必要としない場合（Ｎｏ）にはユーザ端末２がログアウト入力をすることによりゴルフギア選定サーバ１はユーザ端末２との交信を終了する。
【００６０】
ユーザ端末２へ送信される商品情報は、図１５の図示例において、クラブ選択結果として推奨されたゴルフクラブの各メーカのホームページアドレスおよび商品取扱店のホームページのアドレスで構成されている。
【００６１】
更に、選択的に、ゴルフギア選定サーバ１はユーザ端末２に対し、ステップ８（Ｓ８）において、ゴルフ関連情報を提供できる。ゴルフ関連情報は、例えば、選定されたゴルフギアに関する外観写真、メーカ、販売店、価格、設計コンセプト、特性、売れ筋ゴルフ製品に関する情報、ゴルフコース情報、ゴルフイベント情報、プロゴルファのコメント等様々な情報を含む。ユーザ端末２がゴルフ関連情報を必要としない場合（Ｎｏ）には、ユーザ端末２のログアウトによりゴルフギア選定サーバ１はユーザ端末２との交信を終了する。ユーザ端末２がゴルフ関連情報の情報提供を望む場合（Ｙｅｓ）には、ゴルフギア選定サーバ１は例えば図１６のごとき選定されたゴルフクラブ、およびその他のゴルフ関連情報を提供するための画面をステップ９（Ｓ９）でユーザ端末に送信する。
【００６２】
図１６の送信画面は選定ゴルフクラブに関し、それぞれ社名と種類で構成され、見たいクラブ情報をクリックする構成である。ユーザ端末が、例えばウッドに関し、Ｂ社のＭＴ４３９をクリックすることにより、ゴルフギア選定サーバは、更に、図１７のごときＢ社のＭＴ４３９に関する「試打会情報」、「貸し出しクラブ情報」、「クチコミ情報」、「設計家の一言」および「Ｂ社ホームページ」等の情報をユーザ端末に送信することができる。
【００６３】
図１８の送信画面例は売れ筋クラブ情報としてウッド、ユーティリティ、およびアイアンについて売れ筋ランキング一位から三位までメーカ別にリストアップしたリスト、各メーカのホームページのアドレス、および商品取扱店のホームページのアドレスで構成されている。図２６は、同様に、売れ筋ボールランキングと各社のホームページのアドレス、および商品取扱店のホームページのアドレスで構成されている、売れ筋ボール情報を送信する画面である。
【００６４】
上記説明において、ゴルフギア選定サーバ１はゴルフギア選定システムの案内をインターネット上のウエブページに電子的に掲載する機能、ユーザ端末２に電子メールを送信する機能、およびユーザ端末２によるシステム利用を可能にする受信機能を有し、ゴルフに関する種々の情報を蓄積し、かつ各種情報を処理する機能を有するものであってよい。ウエブページに掲載され、かつ／またはユーザ端末２に送信される各種情報は通信部１１または情報提供部１３が適宜選択的に使用されても、またはいずれか一方のみにより行なわれてよい。
【００６５】
ゴルフギア選定サーバ１の通信部１１からユーザ端末２に送信され、ユーザ端末２によるシステム利用を可能にするための初期画面は図１９に示されている。初期画面はゴルフギア選定システムの１つの目的である理想的かつ夢想的ゴルフクラブ、ゴルフボールについてユーザ端末２を利用してアクセスしたユーザに最適のクラブおよび最適のボールを見つける旨の項目、売れ筋クラブおよびボール情報に関する項目、ユーザの広場の項目から成るメニューを掲載している。この初期画面中の「ユーザの広場」はゴルフクラブおよびゴルフボールの他のゴルフギア、ゴルフ場等に関するゴルフギア選定サーバ１による情報提供広場であってよい（図２７参照）。
【００６６】
図１９の初期画面のメニュー項目は適宜変更できる。例えば、ゴルフクラブおよびゴルフボールの選定を一項目とし、それにより一回のクリックにより理想的クラブおよびボールの選定ができる構成であってよい。かかる場合のゴルフギア選定サーバ１からユーザ端末２に送信される設問画面例は図６に示され、かつゴルフクラブのパター編に関する設問例は図５に示されているが、各項目は適宜変更されてよい。売れ筋ボール情報の画面例は売れ筋クラブ情報の送信画面例（図１９）と同様に例えば、売れ筋ボールランキング１位から３位または５位まで列記し、メーカ名とそのホームページアドレス、および商品取扱店名、ホームページアドレスを連記した一覧表等であってよい。
【００６７】
また、商品情報にはゴルフクラブ、ゴルフボール等のゴルフギアに関する型式、外観の写真、値段、設計コンセプト、特性、商品取扱店名、プロゴルファ、有名人またはユーザによるコメント等が含まれてよい。
【００６８】
図２０および２１は、クラブ選定結果の他の画面例を示す。診断結果、即ち、評価、選定結果は、上述したように、ゴルフギア選定サーバ１から図２のステップ１（Ｓ１）でユーザ端末２に送信された設問に対し、ゴルフギア選定サーバ１がステップ２（Ｓ２）でユーザ端末２から回答を受信し、ステップ４（Ｓ４）でその回答結果を所定選定基準データと照合して選定処理した選定結果としてステップ５（Ｓ５）でユーザ端末２へ送信される。図２０の選定結果は、ウッド、アイアンセッティングの最適クラブとして１番から３番、アイアン３番からサンドウエッジ、およびパターを選定し、そのメーカおよび販売店を紹介している。
【００６９】
このようにメーカおよび販売店のホームアドレスをゴルフクラブの選定結果と共に紹介するシステムにすれば、図１２のフローからステップ６（Ｓ６）およびステップ７（Ｓ７）は省略できる。
【００７０】
ゴルフギア選定サーバ１のデータ収集部に予め登録されている選定基準データはプロゴルファの使用しているクラブかつ／またはボール等のゴルフギアを基準に分類したデータであってよい。かかる場合、選定結果は、例えば図１３および１４の表を利用して、選定基準データベースを作成し、プロゴルファの選択に近いまたは総合点に近い回答点数を取得する回答結果に対して、相応するプロゴルファを特定し、そのプロゴルファの使用しているウッド、アイアン、ユーティリティ、ボールを選定し、特定プロゴルファのコメントコメントを提供できる構成にしておけば、ユーザの満足感を増大することができる。
【００７１】
図２１の選定結果は、特定プロゴルファタイプに匹敵することを指摘し、ウッド、ユーティリティ、アイアン、および特定プロゴルファのボールを選定し、特定プロゴルファのコメントを追記し、かつメーカ名販売店のホームアドレスを紹介している。図２２はクラブセッティングに加えて、図２１と同様に、選定結果として、特定プロゴルファタイプに匹敵することを指摘し、特定プロゴルファのコメントを追記している。
【００７２】
図２３〜２５はボール選定結果を示す送信画面である。図２３および２４では最適ボールを三モデル挙げ、メーカおよび販売店を紹介している。図２５は、特定プロタイプであることを指摘し、プロゴルフアのコメントを掲載している。
【００７３】
図２８は、回答結果から選定された各クラブについて更に情報を提供するためのゴルフギア選択サーバ１からユーザ端末２への送信画面例である。例えば、画面中のＡ社のチタン１２３がユーザ端末２によりクリックされた場合、ゴルフギア選択サーバ１は、図２９に示されたような、Ａ社のチタン１２３のゴルフクラブ画像と共にクラブのＩ、ＩＩおよびＩＩＩタイプごとに、シャフト長、ロフト角、価格を表示した画面をユーザ端末２に送信し、購入希望タイプをクリックさせる。タイプＩＩがクリックされた場合には、ゴルフギア選択サーバ１は図３０のごとき注文品の確認画面をユーザ端末２に送信する。ユーザ端末２が画面上の「レジに行く」をクリックして送信してきた場合には、更に、ゴルフギア選択サーバ１は図３１の注文品に関して、送付先、支払い方法等を記入する画面をユーザ端末２に送信し、その回答を受信することにより通信を終了する（図３２）。
【図面の簡単な説明】
【００７４】
【図１】本発明によるゴルフギア選定システムの一例を示す構成図である。
【図２】図1のゴルフギア選定方法のフローチャートである。
【図３】本発明に使用されるゴルフクラブ選定のための設問画面例を示す図である。
【図４】本発明に使用されるゴルフクラブ選定のための他の設問画面例を示す図である。
【図５】本発明に使用されるゴルフクラブ（パター）選定のための他の設問画面例を示す図である。
【図６】本発明に使用されるゴルフクラブ／ボール選定のための他の設問画面例を示す図である。
【図７】本発明に使用されるゴルフボール選定のための他の設問画面例を示す図である。
【図８】本発明による回答漏れの回答を注意する画面例を示す図である。
【図９】本発明によるゴルフギア選定基準データのゴルフクラブセッティングの算定基準例を示す表１である。
【図１０】本発明によるゴルフギア選定基準データのゴルフクラブセッティングの選定法を示す表２である。
【図１１】本発明によるゴルフギア選定基準データのゴルフクラブの算定基準例を示す表３である。
【図１２】本発明によるゴルフギア選定基準データの選定法を示す表４である。
【図１３】本発明によるゴルフギア選定基準データのプロタイプのゴルフギア算定基準例を示す表５である。
【図１４】本発明によるゴルフギア選定基準データのプロタイプのゴルフギア選定法を示す表６である。
【図１５】本発明によるゴルフクラブ選定結果の送信画面例を示す図である。
【図１６】本発明によるゴルフ関連情報提供画面例を示す。
【図１７】図１６のゴルフ関連情報を絞り込んだ送信画面例を示す図である。
【図１８】本発明によるゴルフ関連情報（売れ筋クラブ情報）を提供する送信画面例を示す図である。
【図１９】本発明によるゴルフギア選定システムのメニュー画面例を示す図である。
【図２０】本発明によるゴルフクラブ選定結果の他の送信画面例である。
【図２１】本発明によるゴルフクラブ選定結果の他の送信画面例を示す図である。
【図２２】本発明によるゴルフクラブ選定結果の他の送信画面例を示す図である。
【図２３】本発明によるゴルフボール選結果の送信画面例を示す図である。
【図２４】本発明によるゴルフボール選結果の他の送信画面例を示す図である。
【図２５】本発明によるゴルフボール選定結果の他の送信画面例を示す図である。
【図２６】本発明による売れ筋ボール情報送信画面例を示す図である。
【図２７】本発明によるゴルフギアに関する他の情報送信画面例を示す図である。
【図２８】本発明によるゴルフボール選定結果の他の送信画面例を示す図である。
【図２９】本発明によるゴルフクラブ情報送信画面例を示す図である。
【図３０】本発明によるゴルフクラブ注文受信画面例を示す図である。
【図３１】本発明によるゴルフクラブ注文確認画面例を示す図である。
【図３２】本発明による送信終了画面例を示す図である。
【符号の説明】
【００７５】
１    ゴルフギア選定サーバ
２    ユーザ端末
１１    通信部
１２    情報受信部
１３    情報提供部
１４    データ収集部
１５    選定処理部
【図１】
2006218078.tif 000003
【図２】
2006218078.tif 000004
【図３】
2006218078.tif 000005
【図４】
2006218078.tif 000006
【図５】
2006218078.tif 000007
【図６】
2006218078.tif 000008
【図７】
2006218078.tif 000009
【図８】
2006218078.tif 000010
【図９】
2006218078.tif 000011
【図１０】
2006218078.tif 000012
【図１１】
2006218078.tif 000013
【図１２】
2006218078.tif 000014
【図１３】
2006218078.tif 000015
【図１４】
2006218078.tif 000016
【図１５】
2006218078.tif 000017
【図１６】
2006218078.tif 000018
【図１７】
2006218078.tif 000019
【図１８】
2006218078.tif 000020
【図１９】
2006218078.tif 000021
【図２０】
2006218078.tif 000022
【図２１】
2006218078.tif 000023
【図２２】
2006218078.tif 000024
【図２３】
2006218078.tif 000025
【図２４】
2006218078.tif 000026
【図２５】
2006218078.tif 000027
【図２６】
2006218078.tif 000028
【図２７】
2006218078.tif 000029
【図２８】
2006218078.tif 000030
【図２９】
2006218078.tif 000031
【図３０】
2006218078.tif 000032
【図３１】
2006218078.tif 000033
【図３２】
2006218078.tif 000034